(57)【特許請求の範囲】
【請求項１】
入力される楽音信号をサンプリングして、開始アドレスに対応する記録領域から終了アドレスに対応する記録領域まで順番に記録し、この記録動作が終了すると前記開始アドレスに対応する記録領域から前記終了アドレスに対応する記録領域まで順番に記録されていたサンプリングされた音楽信号をループ状に再生するループレコーダを複数台備えた装置であって、
第１のループレコーダと、第２のループレコーダと、第３のループレコーダと、これら３台のループレコーダの出力を加算する加算部と、自装置の動作制御を行う全体制御部と、を備え、更に前記加算部による加算結果が前記第３のループレコーダに入力されるように構成し、
前記全体制御部は、
前記第１のループレコーダと前記第２のループレコーダとへの楽音信号の入力を許可してこの２台のループレコーダの記録動作を開始させる手段と、
前記２台のループレコーダによるループ再生が開始した後に、前記第３のループレコーダに前記２台のループレコーダからのループ再生信号を入力させて記録させる手段と、
前記第３のループレコーダの録音動作が完了したことを把握すると、この第３のループレコーダによるループ再生動作が行われるよりも前に、前記２台のループレコーダのループ再生動作を停止制御する手段と、を含んで成ることを特徴とする楽音信号の記録再生装置。
【発明の詳細な説明】
【技術分野】
【０００１】
本発明は、入力される楽音信号の録音と録音した楽音信号のループ再生とを行うループレコーダを複数台備えた装置に関する。
【背景技術】
【０００２】
書き込み指示を受けるとオーディオ波形データを時系列に順次に記録する一方、ループ再生開始指示を受けると、記録してある１フレーズ分のオーディオ波形データを、ユーザが設定したテンポでループ再生するサンプラーを用いた電子楽器が既に提案されている。特に、オーディオ波形を録音するにあたり、例えばメトロノームの音に合わせてスイッチをオン、オフ操作することによって、熟練等を要しなくても正確な音楽的長さのオーディオ波形を得ることを可能にしたオーディオ波形の記録装置が提案されていた（例えば、特許文献１参照。）。
【先行技術文献】
【特許文献】
【０００３】
【特許文献１】特許第３８２１６１６号公報（第２−４頁、第１図）
【発明の概要】
【発明が解決しようとする課題】
【０００４】
しかしながら、従来のオーディオ波形記録装置にあっては、サンプラーを用いて、単に、入力されたオーディオ波形を時系列に記録する記録モードと、記憶されているオーディオ波形を再生する再生モードとが備わっているだけである。したがって、このサンプラーを複数接続して、夫々からループ再生されたオーディオ波形のリサンプリング（再度サンプリングして記録すること）処理等を実現する術は存在しなかった。しかも、単純に複数接続しただけでは、不要な音楽ソースの重畳等が生じてしまうといった問題があった。
【０００５】
本発明は、かかる従来の課題を解決するためになされたもので、音楽信号の記録およびループ再生を行うループレコーダを複数台接続しても、夫々からの再生音の不要な重畳を阻止可能な装置を提供することを目的とする。
【課題を解決するための手段】
【０００６】
上記目的を達成するために、本発明は、入力される楽音信号をサンプリングして、開始アドレスに対応する記録領域から終了アドレスに対応する記録領域まで順番に記録し、この記録動作が終了すると前記開始アドレスに対応する記録領域から前記終了アドレスに対応する記録領域まで順番に記録されていたサンプリングされた音楽信号をループ状に再生するループレコーダを複数台備えた装置であって、
第１のループレコーダ（１０）と、第２のループレコーダ（２０）と、第３のループレコーダ（３０）と、これら３台のループレコーダの出力を加算する加算部（４０）と、自装置の動作制御を行う全体制御部（１００）と、を備え、更に前記加算部（４０）による加算結果が前記第３のループレコーダ（３０）に入力されるに構成し、
前記全体制御部（１００）は、
前記第１のループレコーダ（１０）と前記第２のループレコーダ（２０）とへの楽音信号の入力を許可してこの２台のループレコーダ（１０、２０）の記録動作を開始させる手段と、
前記２台のループレコーダ（１０、２０）によるループ再生が開始した後に、前記第３のループレコーダ（３０）に前記２台のループレコーダ（１０、２０）からのループ再生信号を入力させて記録させる手段と、
前記第３のループレコーダ（３０）の録音動作が完了したことを把握すると、この第３のループレコーダ（３０）によるループ再生動作が行われるよりも前に、前記２台のループレコーダ（１０、２０）のループ再生動作を停止制御する手段と、を含んで成ることを特徴とする
【０００７】
この発明によれば、全体制御部（１００）は、先ず、第１のループレコーダ（１０）と第２のループレコーダ（２０）とへの楽音信号の入力を許可して、この２台のループレコーダ（１０、２０）の記録動作を開始させ、次いで、２台のループレコーダ（１０、２０）によるループ再生が開始した後に、第３のループレコーダ（３０）に２台のループレコーダ（１０、２０）からのループ再生信号を入力させて記録させる。そして、全体制御部（１００）は、第３のループレコーダ（３０）の録音動作が完了したことを把握すると、この第３のループレコーダ（３０）によるループ再生動作が行われるよりも前に、２台のループレコーダ（１０、２０）のループ再生動作を停止制御する。この結果、第１および第２のループレコーダ（１０、２０）からのループ再生音と第３のレコーダのループ再生音が重畳されることがなくなる。そして、第３のループレコーダ（３０）は、第１および第２のループレコーダ（１０、２０）からの再生ミックス音をリサンプリングした楽音信号のみをループ再生出力することが可能になる。
【発明の効果】
【０００８】
本発明によれば、音楽信号の記録およびループ再生を行うループレコーダを複数台接続しても、夫々からの再生音の不要な音重畳を阻止可能な装置を実現できるという効果が得られる。
【図面の簡単な説明】
【０００９】
【図１】本発明の実施形態である楽音信号の記録再生装置６０の構成図である。
【図２】ループレコーダ１０（２０、３０）の構成図である。
【図３】装置動作の模式的な説明図である。
【発明を実施するための形態】
【００１０】
以下、本発明を実施の形態について図面を参照しつつ説明する。なお、以下の説明において、「楽音信号」とは楽器の音信号や音声信号等広く音楽信号を含むものである。
【００１１】
（構成）
図１は本発明の実施形態である楽音信号の記録再生装置６０の構成図である。ループレコーダ（１）１０と、ループレコーダ（２）２０と、ループレコーダ（３）３０とを有し、これら３台のループレコーダのループ再生出力が加算部４０により加算（ミックス）されるように構成されている。また、加算部４０の出力信号は、信号線５０を介してループレコーダ（３）３０の入力信号となるように構成されている。そして、ＣＰＵ、ＲＯＭ等で実現される全体制御部１００は、ループレコーダ（１）１０とループレコーダ（２）２０とループレコーダ（３）３０との３台のループレコーダの動作を制御可能に構成されている。より具体的には、全体制御部１００は、制御線を介してループレコーダ（１）１０、ループレコーダ（２）２０、ループレコーダ（３）３０の動作状態（記憶状態、ループ再生状態）を把握したり、記録動作や再生動作の動作制御を行うように構成されている。
【００１２】
図２は、各ループレコーダ（１）１０、（２）２０、（３）３０の構成図である。ループレコーダ（１）１０、（２）２０、（３）３０は、夫々、制御部１とメモリ部２とを備えており、メモリ部２は、開始アドレス「Ａ０」に対応する記録領域から、順番に終了アドレス「Ａｎ」に対応する記録領域までを有している。そして、制御部１は、入力される楽音信号を例えば４０（ｋＨｚ）でサンプリングして、開始アドレス「Ａ０」に対応する記録領域から終了アドレス「Ａｎ」に対応する記録領域まで順番に記録する。図２の例によれば、最初にアドレス「Ａ０」に対応する記録領域にサンプリングした楽音信号を記録し、次に、アドレス「Ａ０」を「１」番地だけ進めてアドレス「Ａ１」に対応する記録領域にサンプリングした楽音信号を記録し、という動作をアドレスの値をインクリメントしながら、これに対応する記録領域にサンプリングした楽音信号を記録する動作を終了アドレス「Ａｎ」まで行う。そして、この記録動作が終了すると継続して、開始アドレス「Ａ０」に対応する記録領域から終了アドレス「Ａｎ」に対応する記録領域まで順番に記録されていたサンプリングされた楽音信号をループ状に再生するループ再生動作を行う。このループ再生動作は、開始アドレス「Ａ０」に対応する記録領域に記録されている楽音信号を再生し、次に、アドレス「Ａ０を「１」番地だけ進めてアドレス「Ａ１」に対応する記録領域に記録されている楽音信号を再生し、という動作をアドレスの値をインクリメントしながら、これに対応する記録領域に記録されている楽音信号を再生する動作を終了アドレス「Ａｎ」まで行い、更に、終了アドレス「Ａｎ」に対する再生動作が完了したら、再度、開始アドレスに対応する記録領域に記録されていた楽音信号の再生に戻り再生動作を繰り返す、いわばループ状の再生動作を行う。
【００１３】
（装置動作）
次に、図１、図３を参照して装置動作を説明する。先ず、全体制御部１００は、ループレコーダ（１）１０と、ループレコーダ（２）２０とへの楽音信号の入力を許可して、この２台のループレコーダ（１）１０、（２）２０の記録動作を開始させる。すると、ループレコーダ（１）１０およびループレコーダ（２）２０は、夫々に備えられている制御部１が、入力されてくる楽音信号を例えば４０（ｋＨｚ）でサンプリングして、夫々のメモリ部２の開始アドレス「Ａ０」に対応する記録領域から順番に楽音信号を記録して、最後に終了アドレス「Ａｎ」に対応する記録領域にサンプリングされた楽音信号を記録する記録動作を行う。
【００１４】
ループレコーダ（１）１０とループレコーダ（２）２０の制御部１は、記録動作が完了すると、続けて、開始アドレス「Ａ０」に対応する記録領域から終了アドレス「Ａｎ」に対応する記録領域まで順番に記録されていたサンプリングされた楽音信号をループ状に再生する再生動作を開始する。この両ループレコーダ（１）１０、（２）２０からの再生信号は、加算部４０によって加算（ミックス）されることになる。
【００１５】
両ループレコーダ（１）１０、（２）２０の再生開始に応答して、全体制御部１００は、信号線５０を介して得られる加算部４０による加算信号（ミックス信号）を、ループレコーダ（３）３０に入力して録音動作を開始させるように制御する。つまり、ループレコーダ（３）３０の制御部１は、ミックス信号を例えば４０（ｋＨｚ）でサンプリングして、開始アドレス「Ａ０」に対応する記録領域から終了アドレス「Ａｎ」に対応する記録領域まで順番に記録する動作を行う。この結果、ループレコーダ（１）１０およびループレコーダ（２）２０によるループ再生が開始した後に、ループレコーダ（３）３０に２台のループレコーダ（１）１０、（２）２０からのループ再生信号を入力させて記録させることになる。なお、ループレコーダ（１）１０およびループレコーダ（２）２０によるループ再生が開始した後に、不図示の操作子を操作することによって、全体制御部１００は、ループレコーダ（３）３０に２台のループレコーダ（１）１０、（２）２０からのループ再生信号を入力させて記録させることもできる。
【００１６】
そして、全体制御部１００は、ループレコーダ（３）３０の動作状態の監視を継続し、ループレコーダ（３）３０の制御部１による録音動作が完了したことを全体制御部１００が把握すると、ループレコーダ（３）３０による再生動作が行われるよりも前に、ループレコーダ（１）１０およびループレコーダ（２）２０の２台のループレコーダの再生動作を（強制的に）停止制御する。つまり、図３（ｂ）に示すように、「ＬＯＯＰ１とＬＯＯＰ２停止」、即ち、ループレコーダ（１）１０およびループレコーダ（２）２０のループ再生を停止させた後に、「ＬＯＯＰ３再生開始」即ち、ループレコーダ（３）３０のループ再生動作が開始するように装置動作を制御する。
【００１７】
仮に、図３（ａ）に示すように、時間軸上で「ＬＯＯＰ１とＬＯＯＰ２停止」が、「ＬＯＯＰ３再生開始」よりも後であれば、ループレコーダ（３）３０のループ再生音に、ループレコーダ（１）１０およびループレコーダ（２）２０のループ再生動作が停止するまで、不要な音（ループレコーダ（１）１０、（２）２０のループ再生音）が重畳して、所望の音（即ち、ループレコーダ（３）のループ再生音）が得られないことになる。
【００１８】
以上の動作による結果、ループレコーダ（３）３０は、ループレコーダ（１）１０およびループレコーダ（２）２０からの再生ミックス音をリサンプリングした楽音信号のみをループ再生して出力することが可能になる。また、ループレコーダ（１）１０とループレコーダ（２）２０の再生音をミックスさせて、更にこのミックス音を、例えばループレコーダ（１）１０に記録させるように構成することもできる。
【産業上の利用可能性】
【００１９】
以上説明してきたように、本発明は、楽音信号を順次記録すると共にループ再生機能を有する音楽装置に利用することができる。
【符号の説明】
【００２０】
１  制御部
２  メモリ部
１０  ループレコーダ（１）
２０  ループレコーダ（２）
３０  ループレコーダ（３）
４０  加算部
５０  ループ
６０  楽音信号の記録再生装置
１００  全体制御部
【図１】
0005688581.tif 000002
【図２】
0005688581.tif 000003
【図３】
0005688581.tif 000004